(57)【要約】【課題】洗濯槽の内部に供給された水の温度を容易に調節できる洗濯機を提供すること。【解決手段】洗濯槽（３）と、洗濯槽（３）の内部に水を供給する第１給水部（６０）と、第１給水部（６０）の供給量よりも少ない水量の水を洗濯槽（３）の内部かつ第１給水部（６０）よりも広範囲に供給する第２給水部（７０）と、第２給水部（７０）から洗濯槽（３）の内部に供給されている水に向かって空気を供給する送風ファン（５３）と、送風ファン（５３）により洗濯槽（３）の内部に供給される空気を加熱するヒータ（５２）と、洗い工程時に、第２給水部（７０）から洗濯槽（３）の内部に供給されている水に向かってヒータ（５２）により加熱された空気が供給されるように、第１，第２給水部（６０，７０）、送風ファン（５３）、および、ヒータ（５２）を制御する制御装置（９０）と、を備えるように洗濯機（１００）を構成する。【選択図】図３
2017113269.tif 000002
【特許請求の範囲】
【請求項１】
洗濯槽と、
上記洗濯槽の内部に水を供給する第１給水部と、
上記第１給水部の供給量よりも少ない水量の水を上記洗濯槽の内部かつ上記第１給水部よりも広範囲に供給する第２給水部と、
上記第２給水部から上記洗濯槽の内部に供給されている水に向かって空気を供給する送風ファンと、
上記送風ファンにより上記洗濯槽の内部に供給される空気を加熱するヒータと、
洗い工程時に、上記第２給水部から上記洗濯槽の内部に供給されている水に向かって上記ヒータにより加熱された空気が供給されるように、上記第１，第２給水部、上記送風ファン、および、上記ヒータを制御する制御装置と、
を備えることを特徴とする洗濯機。
【請求項２】
請求項１に記載の洗濯機において、
上記洗濯槽の内部に回転可能に配置され、回転によって上記洗濯槽の内部に供給された水を攪拌する攪拌翼と、
上記攪拌翼を回転させるための駆動モータと、
を備え、
上記制御装置が、洗い工程時に上記駆動モータを制御して、上記攪拌翼の攪拌力を複数段階に変化させることを特徴とする洗濯機。
【請求項３】
請求項１または２に記載の洗濯機において
運転モードとして、洗い工程時に上記送風ファンおよび上記ヒータが制御されない通常洗浄モードと、洗い工程時に上記送風ファンおよび上記ヒータが制御されて、上記第２給水部から上記洗濯槽の内部に供給されている水に向かって上記ヒータにより加熱された空気が供給される温風洗浄モードとが設けられており、
上記第２給水部から上記洗濯槽の内部に水が供給される期間が、上記通常洗浄モードよりも上記温風洗浄モードの方が長くなるように設定されていることを特徴とする洗濯機。
【請求項４】
請求項３に記載の洗濯機において、
洗い工程時に上記洗濯槽の内部に供給される水の水位が、上記通常洗浄モードよりも上記温風洗浄モードの方が低くなるように設定されていることを特徴とする洗濯機。
【請求項５】
請求項３または４に記載の洗濯機において、
上記洗濯槽の内部に回転可能に配置され、回転によって上記洗濯槽の内部に供給された水を攪拌する攪拌翼と、
上記攪拌翼を回転させるための駆動モータと、
を備え、
上記制御装置が、洗い工程時に、上記通常洗浄モードの上記攪拌力に対する上記温風洗浄モードの上記攪拌力を変化させるように、上記駆動モータを制御することを特徴とする洗濯機。
【発明の詳細な説明】
【技術分野】
【０００１】
本発明は、洗濯機に関する。
【背景技術】
【０００２】
従来、洗濯機としては、例えば、特許文献１に記載されたものがある。この洗濯機は、洗濯槽と、洗濯槽の内部に水を給水する給水弁と、洗濯槽に温風を送風する乾燥運転用の温風送風部と、を備えている。この洗濯機では、給水弁に温風送風部のヒータに接触するように配置された銅管が接続され、この銅管を介して、洗濯槽の内部に水が給水されるようになっている。そして、温風送風部のヒータで銅管を加熱することにより、銅管の中を通る水の温度を上昇させて、洗浄性能および脱水性能を向上させている。
【先行技術文献】
【特許文献】
【０００３】
【特許文献１】特開２００２−３６０９８７号公報
【発明の概要】
【発明が解決しようとする課題】
【０００４】
しかし、上記洗濯機では、温風送風部の加熱能力に比して給水弁から給水される水量が多すぎて、洗濯槽の内部に供給された水の温度を調節することが難しく、所望の洗浄性能および脱水性能を得ることができない場合があった。
【０００５】
そこで、本発明の課題は、洗濯槽の内部に供給された水の温度を容易に調節できる洗濯機を提供することにある。
【課題を解決するための手段】
【０００６】
上記課題を解決するため、本発明の洗濯機は、
洗濯槽と、
上記洗濯槽の内部に水を供給する第１給水部と、
上記第１給水部の供給量よりも少ない水量の水を上記洗濯槽の内部かつ上記第１給水部よりも広範囲に供給する第２給水部と、
上記第２給水部から上記洗濯槽の内部に供給されている水に向かって空気を供給する送風ファンと、
上記送風ファンにより上記洗濯槽の内部に供給される空気を加熱するヒータと、
洗い工程時に、上記第２給水部から上記洗濯槽の内部に供給されている水に向かって上記ヒータにより加熱された空気が供給されるように、上記第１，第２給水部、上記送風ファン、および、上記ヒータを制御する制御装置と、
を備えることを特徴としている。
【０００７】
また、一実施形態の洗濯機では、
上記洗濯槽の内部に回転可能に配置され、回転によって上記洗濯槽の内部に供給された水を攪拌する攪拌翼と、
上記攪拌翼を回転させるための駆動モータと、
を備え、
上記制御装置が、洗い工程時に上記駆動モータを制御して、上記攪拌翼の攪拌力を複数段階に変化させる。
【０００８】
また、一実施形態の洗濯機では、
運転モードとして、洗い工程時に上記送風ファンおよび上記ヒータが制御されない通常洗浄モードと、洗い工程時に上記送風ファンおよび上記ヒータが制御されて、上記第２給水部から上記洗濯槽の内部に供給されている水に向かって上記ヒータにより加熱された空気が供給される温風洗浄モードとが設けられており、
上記第２給水部から上記洗濯槽の内部に水が供給される期間が、上記通常洗浄モードよりも上記温風洗浄モードの方が長くなるように設定されている。
【０００９】
また、一実施形態の洗濯機では、
洗い工程時に上記洗濯槽の内部に供給される水の水位が、上記通常洗浄モードよりも上記温風洗浄モードの方が低くなるように設定されている。
【００１０】
また、一実施形態の洗濯機では、
上記制御装置が、洗い工程時に、上記通常洗浄モードの上記攪拌力に対する上記温風洗浄モードの上記攪拌力を変化させるように、上記駆動モータを制御する。
【発明の効果】
【００１１】
本発明によれば、第２給水部から供給されている水に向かって、ヒータにより加熱された空気が供給される。第２給水部から供給される水は、第１給水部から供給される水と比べて水量が少なく、かつ、広範囲に供給されるため、ヒータにより加熱された空気と接触する表面積が大きくなる。このため、第１，第２給水部から供給される水量を調整することで、洗濯槽の内部に供給された水の温度を容易に調節することができる。
【図面の簡単な説明】
【００１２】
【図１】本発明の第１実施形態の洗濯機の一例としての洗濯乾燥機の斜視図である。
【図２】図１の洗濯乾燥機の縦断面図である。
【図３】図１の洗濯乾燥機の制御ブロック図である。
【図４】図１の洗濯乾燥機の通常洗浄モードの洗い工程を説明するための図である。
【図５】図１の洗濯乾燥機の温風洗浄モードの洗い工程を説明するための図である。
【図６】本発明の第２実施形態の洗濯機の一例としての洗濯乾燥機の制御ブロック図である。
【図７】図６の洗濯乾燥機の温風洗浄モードの洗い工程を説明するための図である。
【発明を実施するための形態】
【００１３】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１４】
（第１実施形態）
第１実施形態の洗濯機の一例の洗濯乾燥機１００は、図１，図２に示すように、縦型であり、金属または合成樹脂製の本体ケーシング１と、本体ケーシング１の内部に設けられた水槽２と、水槽２の内部に設けられた洗濯槽３とを備えている。
【００１５】
本体ケーシング１は、図２に示すように、直方体形状を有し、その上面および底面には、それぞれ、合成樹脂製の上面板１１と合成樹脂製のベース１２とが設けられている。
【００１６】
上面板１１には、洗濯物を投入するための洗濯物投入口１ａと、洗濯物投入口１ａを開閉する上蓋４と、操作表示部５とが設けられている。上蓋４は、上面板１１の奥側（図２の右側）で回転可能に支持されている。また、操作表示部５は、電源のオンオフ、運転モードの選択および入力等を行うための操作部５ａと、運転モード等を表示する表示部５ｂとで構成されている。なお、操作部５ａは、選択部の一例であり、運転モードとして後述する温風洗浄モードを選択するための機械的なスイッチを有している。
【００１７】
また、本体ケーシング１の内部の上側かつ奥側（図２の右上側）には、第１給水部６０と、第２給水部７０とが設けられている。
【００１８】
第１給水部６０は、メイン給水弁６１と、洗剤ケース６２と、第１，第２給水経路６３，６４とで構成されている。
【００１９】
メイン給水弁６１は、上面板１１を貫通して上方に突き出す接続管８０の下流側に設けられている。接続管８０には、水道水などの上水を供給する給水ホース(図示せず)が接続される。洗剤ケース６２は、メイン給水弁６１の下流側に設けられ、本体ケーシング１に着脱可能に取り付けられている。第１給水経路６３は、メイン給水弁６１と洗剤ケース６２とに接続されている。また、第２給水経路６４は、洗剤ケース６２の下流側に設けられ、その先端に洗濯槽３の内部に向かって開口する供給口６４ａを有している。
【００２０】
メイン給水弁６１を開放すると、接続管８０を介して供給された水道水が、第１給水部６０を介して、洗濯槽３の内部に流れ込む。このとき、供給された水道水は、第１給水経路６３から洗剤ケース６２の内部に散水された後、洗剤と一緒に第２給水経路６４を介して供給口６４ａから流れ出す。
【００２１】
第２給水部７０は、シャワー給水弁７１と、給水配管７２と、給水ノズル７３とで構成され、第１給水部６０よりも洗濯槽３の内部への水の供給量が少なくなるように設けられている。
【００２２】
シャワー給水弁７１は、メイン給水弁６１と同様に、接続管８０の下流に設けられている。給水配管７２は、シャワー給水弁７１の下流側に設けられている。また、給水ノズル７３は、給水配管７２の先端に設けられ、給水配管７２を通って給水ノズル７３に流れ込んだ水がシャワーとなって吹き出す吹出口を有している。
【００２３】
シャワー給水弁７１を開放すると、接続管８０を介して供給された水道水が、第２給水部７０を介して、洗濯槽３の内部に流れ込む。このとき、供給された水道水は、給水配管７２を通り、給水ノズル７３の吹出口を介して、円錐状のシャワーとなって洗濯槽３の内部に吹き出す。すなわち、給水ノズル７３を介して吹き出された水は、第１給水部６０の供給口６４ａから流れ出した水よりも広範囲に供給される。
【００２４】
なお、吹き出す円錐状のシャワー水の中心軸が、洗濯槽３の内部の回転中心近傍を通るように、給水ノズル７３の吹出口を配置している。このようにシャワー水の吹き出し方向を設定することで、洗濯槽３の底部全体にシャワー水を供給できるようにしている。
【００２５】
水槽２および洗濯槽３の各々は、上側が開口した有底筒状を有しており、互いに同軸に配置されている。
【００２６】
水槽２の下側には、クラッチ・ブレーキ機構３１と駆動モータ３２とで構成された駆動ユニット３０が設けられている。このクラッチ・ブレーキ機構３１の回転軸３１ａの先端には、攪拌翼２０が取り付けられている。この攪拌翼２０は、洗濯槽３の底面に回転可能に配置されている。
【００２７】
また、図３に示すように、洗濯乾燥機１００には、水位センサ２２と、水温検出部の一例の温度センサ２３と、湿度センサ２４と、扉開閉センサ２５と、乾燥ユニット５０と、マイクロコンピュータおよび入出力回路等からなる制御装置９０と、が設けられている。
【００２８】
乾燥ユニット５０は、送風ファン用モータ５１により駆動される送風ファン５３とヒータ５２とで構成され、送風ファン５３によって吸い込まれた空気をヒータ５２で加熱して、加熱された乾燥用空気を洗濯槽３の内部に供給できるように配置されている。
【００２９】
制御装置９０は、操作表示部５の操作部５ａ、水位センサ２２、温度センサ２３、湿度センサ２４、扉開閉センサ２５からの信号に基づいて、操作表示部５の表示部５ｂ、クラッチ・ブレーキ機構３１、駆動モータ３２、乾燥ユニット５０の送風ファン用モータ５１およびヒータ５２、メイン給水弁６１、および、シャワー給水弁７１等を制御する。
【００３０】
また、制御装置９０には、運転モード決定部９１と、布量算出部９２と、給水時間決定部９３と、水位決定部９４と、タイマ９５とが設けられている。
【００３１】
運転モード決定部９１は、操作表示部５の操作部５ａを介してユーザにより指示された運転モードを決定する。この洗濯乾燥機１００には、運転モードとして、自動洗濯運転モードおよび乾燥運転モード等が設けられている。自動洗濯運転モードは、洗い工程、すすぎ工程、および、脱水工程等を自動的に行う洗濯運転モードであり、通常洗浄モードと、温風洗浄モードとが設けられている。また、乾燥運転モードは、乾燥工程を自動的に行う運転モードである。
【００３２】
布量算出部９２は、洗濯槽３の内部に洗濯物が収容された状態で駆動された駆動モータ３２の負荷を検出し、検出された駆動モータ３２の負荷に基づいて、洗濯槽３の内部の洗濯物の量を算出する。この実施形態では、“高”，“中”，“低”の三つの段階に分類されて、洗濯物の量が算出される。
【００３３】
給水時間決定部９３は、運転モード決定部９１により決定された運転モードと、布量算出部９２により検出された洗濯物の量とに基づいて、自動洗濯運転モードの洗い工程時の給水時間および給水停止時間を決定する。
【００３４】
水位決定部９４は、運転モード決定部９１により決定された運転モードと、布量算出部９２により検出された洗濯物の量とに基づいて、自動洗濯運転モードの洗い工程時の洗濯槽３の水位を決定する。
【００３５】
タイマ９５は、自動洗濯運転モードの洗い工程時の給水時間等を計時する。このタイマ９５は、スタートのタイミングが異なる複数の時間を計時できるように構成されている。
【００３６】
次に、図４，図５に従って、上記洗濯乾燥機１００の通常洗浄モード時と温風洗浄モード時の洗い工程の制御処理について説明する。なお、以下に説明する処理は、制御装置９０が所定のプログラムを実行することで実施される。
【００３７】
［通常洗浄モード］
まず、通常洗浄モードの制御処理について説明する。図４に示すように、通常洗浄モードでは、洗い工程が開始されると、制御装置９０は、洗濯物量算出ステップＳ１を開始させる。
【００３８】
洗濯物量算出ステップＳ１が開始すると、制御装置９０は、駆動モータ３２をオン／オフ制御して、攪拌翼２０を所定のタイミングで正逆方向に回転させ、布量算出部９２が洗濯槽３の内部の洗濯物の量を算出する。洗濯物の量が算出されると、制御装置９０は、洗濯物量算出ステップＳ１を終了させ、給水ステップＳ２を開始させる。
【００３９】
給水ステップＳ２が開始すると、制御装置９０は、駆動モータ３２をオン／オフ制御して、攪拌翼２０を所定のタイミングで正逆方向に回転させると共に、メイン給水弁６１およびシャワー給水弁７１を制御して、メイン給水弁６１およびシャワー給水弁７１を開放し、洗濯槽３に水を供給する。
【００４０】
また、制御装置９０は、メイン給水弁６１およびシャワー給水弁７１を開放した後、水位センサ２２により検出された洗濯槽３の水位が、水位決定部９４により決定された第１初期水位に達したか否かを判定する。
【００４１】
洗濯槽３の水位が第１初期水位に達したと判定されると、制御装置９０は、メイン給水弁６１を制御して、メイン給水弁６１を閉鎖し、メイン給水弁６１の閉鎖と同時にタイマ９５をスタートさせる。そして、制御装置９０は、洗濯槽３の水位が第１初期水位に達したときから経過した時間が、給水時間決定部９３により決定された給水停止時間Ｔ１に達したか否かを判定する。洗濯槽３の水位が第１初期水位に達したときから経過した時間が給水停止時間Ｔ１に達したと判定されると、制御装置９０は、メイン給水弁６１を制御して、メイン給水弁６１を開放する。
【００４２】
また、制御装置９０は、給水ステップＳ２の開始と同時にタイマ９５をスタートさせて、給水ステップＳ２の開始から経過した時間が、給水時間決定部９３により決定された給水時間Ｔ２に達したか否かを判定する。給水ステップＳ２の開始から経過した時間が給水時間Ｔ２に達したと判定されると、制御装置９０は、シャワー給水弁７１を制御して、シャワー給水弁７１を閉鎖する。
【００４３】
通常洗浄モードでは、給水停止時間Ｔ１＝１０秒、給水時間Ｔ２＝３０秒に設定されている。
【００４４】
また、制御装置９０は、洗濯槽３の水位が第１初期水位に達したと判定された後、水位センサ２２により検出された洗濯槽３の水位が、第１初期水位よりも高い第２初期水位に達したか否かを判定する。検出された洗濯槽３の水位が第２初期水位に達したと判定されると、制御装置９０は、給水ステップＳ２を終了させ、洗浄ステップＳ３を開始させる。
【００４５】
なお、第１，第２初期水位は、運転モード決定部９１により決定された運転モードにより予め定められている。通常洗浄モードでは、第１初期水位は１０Ｌ水位、第２初期水位は４０Ｌ水位に設定されている。「１０Ｌ水位」とは、洗濯槽３の内部に１０リットルの水を入れたときの洗濯槽３の水位であり、「４０Ｌ水位」とは、洗濯槽３の内部に４０リットルの水を入れたときの洗濯槽３の水位である。
【００４６】
洗浄ステップＳ３が開始すると、制御装置９０は、駆動モータ３２をオン／オフ制御して、攪拌翼２０を所定のタイミングで正逆方向に回転させると共に、メイン給水弁６１を制御して、メイン給水弁６１を閉鎖し、シャワー給水弁７１を制御して、シャワー給水弁７１を開放する。
【００４７】
また、制御装置９０は、洗浄ステップＳ３の開始と同時にタイマ９５をスタートさせて、洗浄ステップＳ３の開始から経過した時間が給水時間決定部９３により決定された給水時間Ｔ３に達したか否かを判定する。洗浄ステップＳ３の開始から経過した時間が給水時間Ｔ３に達したと判定された場合、制御装置９０は、シャワー給水弁７１を制御して、シャワー給水弁７１を閉鎖する。
【００４８】
通常洗浄モードでは、給水時間Ｔ３＝３０秒に設定されている。
【００４９】
また、制御装置９０は、洗浄ステップＳ３の開始から経過した時間が洗浄時間ＷＴ１に達したか否かを判定する。タイマの計時時間が洗い時間ＷＴ１に達したと判定されると、制御装置９０は、洗浄ステップＳ３を終了させ、給水ステップＳ４を開始させる。
【００５０】
なお、洗浄時間ＷＴ１は、運転モード等により予め定められ、給水時間Ｔ３よりも長くなるように設定されている。
【００５１】
給水ステップＳ４が開始すると、制御装置９０は、駆動モータ３２をオン／オフ制御して、攪拌翼２０を所定のタイミングで正逆方向に回転させると共に、メイン給水弁６１を制御して、メイン給水弁６１を開放し、洗濯槽３に水を供給する。
【００５２】
また、制御装置９０は、メイン給水弁６１を開放した後、水位センサ２２により検出された洗濯槽３の水位が、水位決定部９４により決定された設定水位に達したか否かを判定する。洗濯槽３の水位が設定水位に達したと判定されると、制御装置９０は、メイン給水弁６１を制御して、メイン給水弁６１を閉鎖すると共に、給水ステップＳ４を終了させ、洗浄ステップＳ５を開始させる。
【００５３】
なお、設定水位は、運転モード決定部９１により決定された運転モードにより予め定められている。通常洗浄モードでは、設定水位は４５Ｌ水位に設定されている。「４５Ｌ水位」とは、洗濯槽３の内部に４５リットルの水を入れたときの洗濯槽３の水位である。
【００５４】
洗浄ステップＳ５が開始すると、制御装置９０は、駆動モータ３２をオン／オフ制御して、攪拌翼２０を洗浄ステップＳ３とは異なるタイミングで正逆方向に回転させる。
【００５５】
また、制御装置９０は、洗浄ステップＳ５の開始と同時にタイマ９５をスタートさせて、洗浄ステップＳ５の開始から経過した時間が洗浄時間ＷＴ２に達したか否かを判定する。洗浄時間ＷＴ２は、運転モード等により予め定められている
【００５６】
洗浄ステップＳ５の開始から経過した時間が洗浄時間ＷＴ２に達したと判定されると、制御装置９０は、洗浄ステップＳ５を終了させ、洗浄ステップＳ６を開始させる。
【００５７】
洗浄ステップＳ６が開始すると、制御装置９０は、駆動モータ３２をオン／オフ制御して、攪拌翼２０を洗浄ステップＳ３および洗浄ステップＳ５とは異なるタイミングで正逆方向に回転させる。
【００５８】
また、制御装置９０は、洗浄ステップＳ６の開始と同時にタイマ９５をスタートさせて、洗浄ステップＳ６の開始から経過した時間が洗浄時間ＷＴ３に達したか否かを判定する。洗浄時間ＷＴ２は、運転モード等により予め定められている
【００５９】
洗浄ステップＳ６の開始から経過した時間が洗浄時間ＷＴ３に達したと判定されると、制御装置９０が洗浄ステップＳ６を終了させて、洗い工程が終了する。
【００６０】
［温風洗浄モード］
続いて、温風洗浄モードの制御処理について説明する。温風洗浄モードの制御処理については、通常洗浄モードと異なる給水ステップＳ２、および、洗浄ステップＳ３について説明し、残りの工程については、通常洗浄モードの説明を援用する。
【００６１】
図５に示すように、給水ステップＳ２が開始すると、制御装置９０は、駆動モータ３２をオン／オフ制御して、攪拌翼２０を所定のタイミングで正逆方向に回転させると共に、メイン給水弁６１およびシャワー給水弁７１を制御して、メイン給水弁６１およびシャワー給水弁７１を開放し、洗濯槽３に水を給水する。
【００６２】
また、制御装置９０は、送風ファン用モータ５１およびヒータ５２を制御して、ヒータ５２により加熱された空気をシャワー給水弁７１から洗濯槽３の内部にシャワーとなって吹き出した水に向かって供給する。
【００６３】
また、制御装置９０は、メイン給水弁６１およびシャワー給水弁７１を開放した後、水位センサ２２により検出された洗濯槽３の水位が、水位決定部９４により決定された第１初期水位に達したか否かを判定する。
【００６４】
洗濯槽３の水位が第１初期水位に達したと判定されると、制御装置９０は、メイン給水弁６１を閉鎖すると共に、メイン給水弁６１のオフと同時にタイマ９５をスタートさせる。そして、制御装置９０は、洗濯槽３の水位が第１初期水位に達したときから経過した時間が、給水時間決定部９３により決定された給水停止時間Ｔ１に達したか否かを判定する。洗濯槽３の水位が第１初期水位に達したときから経過した時間が給水停止時間Ｔ１に達したと判定されると、制御装置９０は、メイン給水弁６１を制御して、メイン給水弁６１を開放する。
【００６５】
また、制御装置９０は、給水ステップＳ２の開始と同時にタイマ９５をスタートさせて、給水ステップＳ２の開始から経過した時間が、給水時間決定部９３により決定された給水時間Ｔ２に達したか否かを判定する。給水ステップＳ２の開始から経過した時間が給水時間Ｔ２に達したと判定された場合、制御装置９０は、シャワー給水弁７１を制御して、シャワー給水弁７１を閉鎖する。
【００６６】
給水ステップＳ２の開始から経過した時間が給水時間Ｔ２に達して、シャワー給水弁７１がオフされた後も、制御装置９０は、送風ファン用モータ５１およびヒータ５２のオン状態を維持して、洗濯槽３の内部に向かって加熱された空気を供給し続ける。
【００６７】
なお、温風洗浄モードでは、給水停止時間Ｔ１＝２分、給水時間Ｔ２＝３分に設定されている。
【００６８】
また、制御装置９０は、洗濯槽３の水位が第１初期水位に達したと判定された後、水位センサ２２により検出された洗濯槽３の水位が、第１初期水位よりも高い第２初期水位に達したか否かを判定する。検出された洗濯槽３の水位が第２初期水位に達したと判定されると、制御装置９０は、給水ステップＳ２を終了させ、洗浄ステップＳ３を開始させる。
【００６９】
なお、第１，第２初期水位は、運転モード決定部９１により決定された運転モードにより予め定められている。通常洗浄モードでは、第１初期水位は１０Ｌ水位、第２初期水位は３５Ｌ水位に設定されている。「３５Ｌ水位」とは、洗濯槽３の内部に４０リットルの水を入れたときの洗濯槽３の水位である。
【００７０】
洗浄ステップＳ３が開始すると、制御装置９０は、駆動モータ３２をオン／オフ制御して、攪拌翼２０を所定のタイミングで正逆方向に回転させると共に、メイン給水弁６１を制御して、メイン給水弁６１を閉鎖し、シャワー給水弁７１を制御して、シャワー給水弁７１を開放する。
【００７１】
また、制御装置９０は、洗浄ステップＳ３の開始と同時にタイマ９５をスタートさせて、洗浄ステップＳ３の開始から経過した時間が給水時間決定部９３により決定された給水時間Ｔ３に達したか否かを判定する。洗浄ステップＳ３の開始から経過した時間が給水時間Ｔ３に達したと判定された場合、制御装置９０は、シャワー給水弁７１を制御して、シャワー給水弁７１を閉鎖する。
【００７２】
温風洗浄モードでは、給水時間Ｔ３＝５分に設定されている。
【００７３】
また、制御装置９０は、洗浄ステップＳ３の開始から経過した時間が洗浄時間ＷＴ１に達したか否かを判定する。タイマの計時時間が洗い時間ＷＴ１に達したと判定されると、制御装置９０は、送風ファン用モータ５１およびヒータ５２を制御して、送風ファン用モータ５１およびヒータ５２をオフすると共に、洗浄ステップＳ３を終了させ、給水ステップＳ４を開始させる。
【００７４】
このように、上記洗濯乾燥機１００では、ヒータ５２により加熱された空気をシャワー給水弁７１から洗濯槽３の内部にシャワーとなって吹き出した水に向かって供給される。シャワー給水弁７１から供給される水は、メイン給水弁６１から供給される水よりも水量が少なく、かつ、広範囲に供給されるので、ヒータ５２により加熱された空気と接触する表面積がメイン給水弁６１から供給される水よりも大きく、水温を容易に調節できる。このため、洗濯槽３の内部に供給された水の温度を容易に調節することができる。
【００７５】
また、温風洗浄モードの給水ステップＳ２では、メイン給水弁６１を閉鎖する給水停止時間Ｔ１と、シャワー給水弁７１を開放する供給時間Ｔ２が、通常洗浄モードよりも長くなるように設定されている。すなわち、シャワー給水弁７１から洗濯槽３の内部に水が供給される期間が、通常洗浄モードよりも温風洗浄モードの方が長くなるように設定されている。これにより、水温を容易に調節できるシャワー給水弁７１からの水の供給量が増えるので、洗濯槽３の内部に供給された水の温度を容易に調節することができる。
【００７６】
また、操作部５ａに、運転モードとして温風洗浄モードを選択するためのスイッチを設けている。これにより、運転モードを温風洗浄モードに容易に切り替えることができる。
【００７７】
また、洗い工程の給水ステップＳ２において、洗濯槽３の内部に供給される水の水位、すなわち、第２初期水位が、通常洗浄モードよりも温風洗浄モードの方が低くなるように設定されている。これにより、洗濯槽３の内部に供給される水量を少なくすることができるので、洗濯槽３の内部に供給された水の温度を容易に調節することができる。
【００７８】
（第２実施形態）
本発明の第２実施形態の洗濯機の一例の洗濯乾燥機２００は、図６に示すように、制御装置１９０に、駆動モータ制御部９６を設けた点で、第１実施形態の洗濯乾燥機１００と異なっている。
【００７９】
図７に示すように、駆動モータ制御部９６は、駆動モータ３２を制御して、洗浄ステップＳ３の開始から所定の時間が経過するまで、通常洗浄モードの洗浄ステップＳ３よりも駆動モータ３２のオフ時間に対するオン時間の比率（以下、オン比率という）が小さくした攪拌翼２０の第１制御ＭＣ１を行う。また、駆動モータ制御部９６は、駆動モータ３２を制御して、洗浄ステップＳ３の開始から所定の時間が経過した後、洗浄ステップＳ３が終了するまで、通常洗浄モードの洗浄ステップＳ３よりもオン比率を大きくした攪拌翼２０の第２制御ＭＣ２を行う。
【００８０】
洗浄ステップＳ３の開始から所定の時間が経過するまで攪拌翼２０の第１制御ＭＣ１を行うことで、攪拌翼２０の攪拌力が小さくなり、洗濯槽３の内部の水の動きが小さくなる。このため、洗濯槽３の内部に供給されるヒータ５２により加熱された空気と洗濯槽３の内部の水との接触面積が小さくなり、両者の間で熱交換が起こり難くなる。その結果、洗濯槽３の内部の空気の温度が上昇し易くなる。
【００８１】
一方、洗浄ステップＳ３の開始から所定の時間が経過した後、洗浄ステップＳ３が終了するまで攪拌翼２０の第２制御ＭＣ２を行うことで、攪拌翼２０の攪拌力が大きくなり、洗濯槽３の内部の水の動きが大きくなる。このため、洗濯槽３の内部に供給されるヒータ５２により加熱された空気と洗濯槽３の内部の水との接触面積が大きくなり、両者の間で熱交換が起こり易くなる。その結果、洗濯槽３の内部の水の温度が上昇し易くなる。
【００８２】
このように駆動モータ３２を制御して、攪拌翼２０の攪拌力を複数段階に変化させることで、ヒータ５２により加熱された空気、および、この空気により加熱された洗濯槽３の周壁と、洗濯槽３の内部の水との接触面積を変化させることができる。このため、例えば、洗浄ステップＳ３において、開始から所定の期間、通常洗浄モードよりも攪拌翼２０の攪拌力を小さくし、その後、通常洗浄モードよりも攪拌翼２０の攪拌力を大きくすることで、洗浄ステップＳ３における洗濯槽３の内部の水の温度の低下を防ぐことができる。
【００８３】
また、洗い工程時に、通常洗浄モードの攪拌翼２０の攪拌力に対する温風洗浄モードの攪拌翼２０の攪拌力を変化させるように、駆動モータ３２が制御される。このため、洗い工程時に、温風洗浄モードに適した攪拌翼２０の攪拌力を得ることができ、洗濯槽３の内部の水の温度を容易に調節することができる。
【００８４】
なお、この実施形態では、通常洗浄モードにおいて、オン比率が１．８ｓ（ＯＮ）／０．６ｓ（ＯＦＦ）＝３．０になるように、駆動モータ３２が制御される。また、温風洗浄モードの第１制御ＭＣ１において、オン比率が０．８ｓ（ＯＮ）／０．８ｓ（ＯＦＦ）＝１．０になるように、第２制御ＭＣ２において、オン比率が２．２ｓ（ＯＮ）／０．６ｓ（ＯＦＦ）＝３．７になるように、駆動モータ３２が制御される。
【００８５】
（第３実施形態）
上記実施形態では、縦型洗濯乾燥機について説明したが、ドラム式洗濯機やドラム式洗濯乾燥機などに本発明を適用してもよい。
【００８６】
第２給水部７０は、水をシャワー状にして洗濯槽３の内部に供給するものに限らず、例えば、ミストあるいは水蒸気を供給するものであってもよい。
【００８７】
布量算出部９２は、駆動モータ３２の負荷に基づいて洗濯物の量を算出するものに限らず、重量センサを用いて洗濯物の量を算出するものであってもよい。
【００８８】
温風洗浄モードにおける給水ステップＳ２において、送風ファン用モータ５１およびヒータ５２は、メイン給水弁６１およびシャワー給水弁７１の開放と共にオンしてもよいし、洗濯物量算出ステップＳ１の終了前にオンしてもよいし、メイン給水弁６１およびシャワー給水弁７１の開放後、所定の時間が経過したときにオンしてもよい。
【００８９】
なお、洗濯槽３の内部にある程度の水が供給された後に、送風ファン用モータ５１およびヒータ５２を駆動させることで、洗濯槽３の内部の水の温度を上昇させ易くなる。このため、メイン給水弁６１およびシャワー給水弁７１の開放後、所定の時間が経過したときに、送風ファン用モータ５１およびヒータ５２をオンするのが好ましい。
【００９０】
また、温風洗浄モードにおける給水ステップＳ２において、メイン給水弁６１およびシャワー給水弁７１は、同時に開放してもよいし、時間差で開放してもよい。洗濯物の量が少ない場合、シャワー給水弁７１を先に開放するのが好ましく、洗濯物の量が多い場合、メイン給水弁６１を先に開放するのが好ましい。これにより、洗濯槽３の内部の水の温度を効率よく上昇させることができる。
【００９１】
駆動モータ制御部９６は、第１，第２制御ＭＣ１，ＭＣ２を行う場合に限らず、３以上の異なる攪拌翼２０の制御を行ってもよい。また、各攪拌翼２０の制御は、通常洗浄モードと比較したオン比率で制御する場合に限らず、例えば、攪拌翼２０の第１制御ＭＣ１を基準として、相対的なオン比率で制御してもよい。
【００９２】
また、各攪拌翼２０の制御の切り替えは、時間により行う場合に限らない。例えば、水温検出部により検出された洗濯槽の内部の水の水温に基づいて行ってもよい。この場合、洗濯槽３の内部の水温調節の精度を高めることができる。
【００９３】
また、駆動モータ制御部９６は、洗い工程時に、通常洗浄モードの攪拌翼２０の攪拌力に対する温風洗浄モードの攪拌翼２０の攪拌力を変化させるように、上記駆動モータ３２を制御しているが、これに限らない。各運転モードの攪拌翼の攪拌力は、洗濯機の設計等に応じて、任意に設定できる。例えば、温風洗浄モードの攪拌力が、通常洗浄モードの攪拌力に対して変化しないように、駆動モータを制御してもよい。この場合、攪拌翼の攪拌力を温風洗浄モードに最適化することは難しくなるが、例えば、洗い工程の制御処理を簡素化できる。
【００９４】
駆動モータ３２は、オン／オフ制御するものに限らず、回転数制御するものであってもよい。
【００９５】
乾燥ユニット５０の送風ファン用モータ５１およびヒータ５２は、例えば、給水ステップＳ４、あるいは、洗浄ステップＳ５，Ｓ６でオンしてもよい。
【００９６】
温風洗浄モードの選択は、操作部５ａに機械的なスイッチを設けて行う場合に限らず、制御装置９０に含まれるソフトウェアで行ってもよい。
【００９７】
洗濯槽３の水位の調節は、水位センサ２２により検出された水位に基づいて行う場合に限らず、例えば、洗濯槽３の内部への水の供給時間に基づいて行ってもよい。
【００９８】
本発明および実施形態を纏めると、次のようになる。
【００９９】
本発明の洗濯機１００は、
洗濯槽３と、
上記洗濯槽３の内部に水を供給する第１給水部６０と、
上記第１給水部６０の供給量よりも少ない水量の水を上記洗濯槽３の内部かつ上記第１給水部６０よりも広範囲に供給する第２給水部７０と、
上記第２給水部７０から上記洗濯槽３の内部に供給されている水に向かって空気を供給する送風ファン５３と、
上記送風ファン５３により上記洗濯槽３の内部に供給される空気を加熱するヒータ５２と、
洗い工程時に、上記第２給水部７０から上記洗濯槽３の内部に供給されている水に向かって上記ヒータ５２により加熱された空気が供給されるように、上記第１，第２給水部６０，７０、上記送風ファン５３、および、上記ヒータ５２を制御する制御装置９０と、
を備えることを特徴としている。
【０１００】
本発明の洗濯機１００によれば、第２給水部７０から供給されている水に向かって、ヒータ５２により加熱された空気が供給される。第２給水部７０から供給される水は、第１給水部６０から供給される水と比べて水量が少なく、かつ、広範囲に供給されるため、空気との接触面積が大きく、水温を容易に調節できる。このため、洗濯槽３の内部に供給された水の温度を容易に調節することができる。
【０１０１】
また、一実施形態の洗濯機２００では、
上記洗濯槽３の内部に回転可能に配置され、回転によって上記洗濯槽３の内部に供給された水を攪拌する攪拌翼２０と、
上記攪拌翼２０を回転させるための駆動モータ３２と、
を備え、
上記制御装置１９０が、洗い工程時に上記駆動モータ３２を制御して、上記攪拌翼２０の攪拌力を複数段階に変化させる。
【０１０２】
上記実施形態によれば、洗い工程時に、攪拌翼２０の攪拌力が複数段階に変化する。攪拌翼２０の攪拌力を変化させることで、ヒータ５２により加熱された空気、および、この空気により加熱された洗濯槽３の周壁と、洗濯槽３の内部の水との接触面積を変化させることができる。このため、洗濯槽３の内部の水の温度を容易に調節することができる。
【０１０３】
また、一実施形態の洗濯機１００では、
運転モードとして、洗い工程時に上記送風ファン５３および上記ヒータ５２が制御されない通常洗浄モードと、洗い工程時に上記送風ファン５３および上記ヒータ５２が制御されて、上記第２給水部７０から上記洗濯槽３の内部に供給されている水に向かって上記ヒータ５２により加熱された空気が供給される温風洗浄モードとが設けられており、
上記第２給水部７０から上記洗濯槽３の内部に水が供給される期間が、上記通常洗浄モードよりも上記温風洗浄モードの方が長くなるように設定されている。
【０１０４】
上記実施形態によれば、第２給水部７０から洗濯槽３の内部に水が供給される期間が、通常洗浄モードよりも温風洗浄モードの方が長くなるように設定されている。これにより、水温を容易に調節できる第２給水部７０からの水の供給量が増えるので、洗濯槽３の内部に供給された水の温度を容易に調節することができる。
【０１０５】
また、一実施形態の洗濯機１００では、
上記温風洗浄モードを選択するための選択部５ａを備える。
【０１０６】
上記実施形態によれば、運転モードを温風洗浄モードに容易に切り替えることができる。
【０１０７】
また、一実施形態の洗濯機１００では、
洗い工程時に上記洗濯槽３の内部に供給される水の水位が、上記通常洗浄モードよりも上記温風洗浄モードの方が低くなるように設定されている。
【０１０８】
上記実施形態によれば、洗濯槽３の内部に供給される水量を少なくすることができるので、洗濯槽３の内部に供給された水の温度を容易に調節することができる。
【０１０９】
また、一実施形態の洗濯機２００では、
上記制御装置１９０が、洗い工程時に、上記通常洗浄モードの上記攪拌力に対する上記温風洗浄モードの上記攪拌力を変化させるように、上記駆動モータ３２を制御する。
【０１１０】
上記実施形態によれば、洗い工程時に、温風洗浄モードに適した攪拌力を得ることができる。これにより、洗濯槽３の内部の水の温度を容易に調節することができる。
【０１１１】
また、一実施形態の洗濯機２００では、
上記洗濯槽３の内部に供給された水の温度を検出するための水温検出部２３を備え、
上記制御装置１９０が、洗い工程時に、上記水温検出部２３により検出された水温に基づいて上記駆動モータ３２を制御して、上記攪拌翼２０の攪拌力を複数段階に変化させる。
【０１１２】
上記実施形態によれば、洗い工程時に、水温検出部２３により検出された水温に基づいて駆動モータ３２が制御されるので、洗濯槽３の内部の水温調節の精度を高めることができる。
【０１１３】
上記実施形態で述べた構成要素は、適宜、組み合わせてもよく、また、適宜、選択、置換、あるいは、削除してもよいのは、勿論である。
【符号の説明】
【０１１４】
１  本体ケーシング
２  水槽
３  洗濯槽
４  上蓋
５  操作表示部
５ａ  操作部
５ｂ  表示部
１１  上面板
１２  ベース
２０  攪拌翼
２２  水位センサ
２３  温度センサ
２４  湿度センサ
２５  扉開閉センサ
３０  駆動ユニット
３１  クラッチ・ブレーキ機構
３１ａ  回転軸
３２  駆動モータ
４０  バランサ
５０  乾燥ユニット
５１  送風ファン用モータ
５２  ヒータ
５３  送風ファン
６０  第１給水部
６１  メイン給水弁
６２  洗剤ケース
６３  第１給水経路
６４  第２給水経路
６４ａ  供給口
７０  第２給水部
７１  シャワー給水弁
７２  給水配管
７３  給水ノズル
８０  接続管
９０  制御装置
９１  運転モード決定部
９２  布量算出部
９３  給水時間決定部
９４  水位決定部
９５  タイマ
１００，２００  洗濯乾燥機
【図１】
2017113269.tif 000003
【図２】
2017113269.tif 000004
【図３】
2017113269.tif 000005
【図４】
2017113269.tif 000006
【図５】
2017113269.tif 000007
【図６】
2017113269.tif 000008
【図７】
2017113269.tif 000009